(57)【要約】【課題】経済的で手足の指に装着した際の見た目が美しく、手足の指を通る経絡の流れの方向へイオン化傾向の相違により電流を流すことができる指輪の提供。【解決手段】指輪１は、第一リング部材２と第二リング部材３とを備える。第一リング部材２は、環状の第一基部４と、第一基部４を被覆する金属製の第一被覆部５とを有する。第二リング部材３は、環状の第二基部７と、第二基部７を被覆する金属製の第二被覆部８とを有する。第二被覆部８は、第一被覆部５よりもイオン化傾向が大きい金属とされる。第一リング部材２と第二リング部材３とは、同一の指に嵌められた際に、第一リング部材２の軸方向両側に第二リング部材３が配置される。【選択図】図１
2017131494.tif 000002
【特許請求の範囲】
【請求項１】
環状に形成され、少なくとも内周面が金属材料で形成されている第一リング部材と、
環状に形成され、少なくとも内周面が前記金属材料よりもイオン化傾向が大きい金属材料で形成されている第二リング部材と
を備えることを特徴とする指輪。
【請求項２】
前記第一リング部材は、環状で真鍮製、銅製または銀製の第一基部と、前記第一基部の少なくとも内周面を被覆するよう設けられる金製または白金製の第一被覆部とを有し、
前記第二リング部材は、環状で真鍮製、銅製または銀製の第二基部と、前記第二基部の少なくとも内周面を被覆するよう設けられる錫製の第二被覆部とを有している
ことを特徴とする請求項１に記載の指輪。
【請求項３】
前記第一リング部材および前記第二リング部材は、可撓性を有しており、
前記第一リング部材の周側壁および前記第二リング部材の周側壁は、軸方向へ沿って切り欠かれて、周方向一部が開放されている
ことを特徴とする請求項１または請求項２に記載の指輪。
【請求項４】
前記第二リング部材を複数備え、
前記第一リング部材および前記第二リング部材は、手または足の同一の指に、前記第一リング部材の軸方向両側に前記第二リング部材が配置されるよう嵌められる
ことを特徴とする請求項１〜３のいずれか１項に記載の指輪。
【請求項５】
前記第一リング部材と前記第二リング部材とは、手または足の同一の指に、互いに間隔を空けて配置されるよう嵌められる
ことを特徴とする請求項１〜４のいずれか１項に記載の指輪。
【発明の詳細な説明】
【技術分野】
【０００１】
本発明は、金属間のイオン化傾向の違いにより生じる電流を身体の経絡の流れに沿って流すことで、経絡に対応する箇所の疾病の治療や健康の促進を図ることができる指輪に関するものである。
【背景技術】
【０００２】
下記特許文献１には、身体内部の血液を介して電流を流すことにより血行を促進する血行促進用器具が開示されている。この血行促進用器具は、イオン化傾向の小さい金属板片を具備している器具と、イオン化傾向の大きい金属板片を具備している器具とを備えており、その両器具は、所定間隔を空けて、粘着部材で身体表面に固定される。この際、血行の上流側にイオン化傾向の小さい金属板片を具備している器具が固定される一方、血行の下流側にイオン化傾向の大きい金属板片を具備している器具が固定される。これにより、起電力による電流が上流側から下流側に流れ、身体内の血行の方向と器具による電流の方向とが一致するため、血行を促進することができる。
【先行技術文献】
【特許文献】
【０００３】
【特許文献１】特許第３２８２６５３号公報
【発明の概要】
【発明が解決しようとする課題】
【０００４】
しかしながら、特許文献１に記載の血行促進用器具では、粘着部材により身体表面に貼り付ける構成であるので、手足の指に貼り付けた際には、目立ってしまい、見た目が悪い。また、血行促進用器具は、粘着部材により固定される構成であるので、使い捨てされるものであり、繰り返し使用することができない。また、血行促進用器具は、金属板片が可撓性を有していないため、金属板片を容易に折り曲げることができず、指のように細い棒状の箇所には取り付け難いものである。
【０００５】
さらに、血行促進用器具は、身体内の血行の方向へ電流を流すものであって、経絡に電流による刺激を与えるものではない。経絡の流れの方向へ電流を流すことで、経絡に対応する身体の箇所の疾病を治療することができるが、血行促進用器具は、その点について考慮されたものではない。そこで、電気機器を用いることなく経絡の流れの方向へ容易に電流を流すことができるものが望まれている。
【０００６】
本発明は、このような問題に鑑みてなされたものであり、その主たる目的は、経済的で手足の指に装着した際の見た目が美しく、手足の指を通る経絡の流れの方向へ金属間のイオン化傾向の相違により電流を流すことができる指輪を提供することにある。
【課題を解決するための手段】
【０００７】
上記目的を達成するための本発明に係る指輪は、環状に形成され、少なくとも内周面が金属材料で形成されている第一リング部材と、環状に形成され、少なくとも内周面が前記金属材料よりもイオン化傾向が大きい金属材料で形成されている第二リング部材とを備えることを特徴とする。
【０００８】
また、本発明に係る指輪は、前記第一リング部材は、環状で真鍮製、銅製または銀製の第一基部と、前記第一基部の少なくとも内周面を被覆するよう設けられる金製または白金製の第一被覆部とを有し、前記第二リング部材は、環状で真鍮製、銅製または銀製の第二基部と、前記第二基部の少なくとも内周面を被覆するよう設けられる錫製の第二被覆部とを有していることを特徴とする。
【０００９】
また、本発明に係る指輪は、前記第一リング部材および前記第二リング部材は、可撓性を有しており、前記第一リング部材の周側壁および前記第二リング部材の周側壁は、軸方向へ沿って切り欠かれて、周方向一部が開放されていることを特徴とする。
【００１０】
また、本発明に係る指輪は、前記第二リング部材を複数備え、前記第一リング部材および前記第二リング部材は、手または足の同一の指に、前記第一リング部材の軸方向両側に前記第二リング部材が配置されるよう嵌められることを特徴とする。
【００１１】
さらに、本発明に係る指輪は、前記第一リング部材と前記第二リング部材とは、手または足の同一の指に、互いに間隔を空けて配置されるよう嵌められることを特徴とする。
【発明の効果】
【００１２】
本発明に係る指輪によれば、環状の第一リング部材および環状の第二リング部材を有し、第二リング部材の少なくとも内周面を形成する金属材料が第一リング部材の少なくとも内周面を形成する金属材料よりもイオン化傾向が大きく形成されている。従って、両リング部材を同一の指に嵌めた際、いわゆる電池と同様の化学反応が生じ、皮膚内に電流を流すことができる。
【００１３】
具体的には、指の表面の汗などの水分が電解質となり、イオン化傾向の小さい方の金属材料が正極となる一方、イオン化傾向の大きい方の金属材料が負極となる。イオン化傾向の大きい方の金属材料の負極が電子を放出し、イオン化傾向の小さい金属材料の正極が電子を受け取るという反応が生じる。これにより、イオン化傾向の異なる両金属材料が指の皮膚に接触しており、この指の皮膚内を電流が流れる。この際、電流は、イオン化傾向の小さい方の金属材料からイオン化傾向の大きい方の金属材料へ向けて流れる。なお、この電流は、人が感じることができないほどの微電流である。
【００１４】
このようにして、両リング部材を同一の指に嵌めることで、指の皮膚内において第一リング部材から第二リング部材へ向けて電流を流すことができる。この際、指を通る経絡の流れの上流側に第一リング部材が配置され、指を通る経絡の流れの下流側に第二リング部材が配置されることで、指を通る経絡の流れの方向へ電流を流すことができる。これにより、電流による経絡の刺激がなされ、経絡に対応する身体の箇所の疾病を治療することができる。
【００１５】
ところで、本発明に係る指輪によれば、両リング部材が環状に形成されているため、指に嵌めた際に宝飾品としての指輪をしているように見え、装着時の見た目が美しい。また、本発明に係る指輪によれば、両リング部材が環状に形成されているため、指に嵌めて装着でき、指から抜いて外すことができる。すなわち、通常の指輪と同様に着脱できる構成であるので、繰り返し使用することができる。また、本発明に係る指輪によれば、両リング部材が環状に形成されているため、板状の部材を粘着材により貼り付ける場合と比較して、指に容易に装着することができる。
【００１６】
また、本発明に係る指輪によれば、第一リング部材は、真鍮製、銅製または銀製の第一基部と、この第一基部の少なくとも内周面を被覆する金製または白金製の第一被覆部とを備えて構成されている。また、第二リング部材は、真鍮製、銅製または銀製の第二基部と、この第二基部の少なくとも内周面を被覆する錫製の第二被覆部とを備えて構成されている。これにより、指輪の製造コストの低減を図りつつ、指輪を容易に製造することができる。また、真鍮、銅または銀と錫とは、密着性がよく、第二被覆部が第二基部から剥がれ落ちる恐れが少ない。
【００１７】
また、本発明に係る指輪によれば、可撓性を有する各リング部材の周側壁の周方向一部が開放されているので、各リング部材の開放両端部を離隔および近接することができる。これにより、各リング部材を太さの異なる指に容易に嵌めることができる。
【００１８】
また、本発明に係る指輪によれば、指に嵌められた際に、第一リング部材の軸方向両側に第二リング部材を配置することで、互いに相反する方向へ電流を流すことができる。具体的には、第一リング部材から第一リング部材の軸方向一方に配置された第二リング部材へ電流を流すことができると共に、第一リング部材から第一リング部材の軸方向他方に配置された第二リング部材へ電流を流すことができる。これにより、指先から腕を通って胴体へ流れる経絡と胴体から腕を通って指先へ流れる経絡とが通っている手の指に前述したように装着することで、各経絡の流れの方向へ電流を流すことができる。
【００１９】
また、指によっては経絡の流れの方向がそれぞれ異なっているが、第一リング部材の軸方向両側に第二リング部材を配置することで、どの指に装着しても、経絡の流れの方向へ電流を流すことができる。また、前述したように第一リング部材から指先方向および第一リング部材から指の根元方向へ電流を流すことができる構成であるので、一方向のみの場合と比較して、電流による経絡への刺激を弱めて、効きすぎを防止することができる。
【００２０】
さらに、本発明に係る指輪によれば、第一リング部材と第二リング部材とが互いに間隔を空けて指に嵌められるので、第一リング部材と第二リング部材とが一体形成された場合と比較して、電流を良く流すことができる。
【図面の簡単な説明】
【００２１】
【図１】本発明の指輪の一実施例を示す斜視図である。
【図２】図１の指輪の縦断面図である。
【図３】図１の指輪の使用状態を示す平面図であり、手の甲から見た状態を示している。
【発明を実施するための形態】
【００２２】
以下、本発明の指輪の具体的実施例を図面に基づいて詳細に説明する。
【００２３】
図１から図３は、本発明の指輪の一実施例を示す図であり、図１は一部を断面にして示す斜視図、図２は縦断面図、図３は手の甲から見た使用状態を示す平面図である。本実施例の指輪１は、金属間のイオン化傾向の差により電流を生じさせることができるものであり、環状の第一リング部材２と複数の環状の第二リング部材３とを備えており、第一リング部材２と第二リング部材３とは別体とされている。なお、本実施例の指輪１は、一つの第一リング部材２と二つの第二リング部材３，３とを備えて構成されている。
【００２４】
第一リング部材２は、少なくとも内周面が金属材料で形成されている。図１および図２に示されるように、本実施例の第一リング部材２は、環状の第一基部４と、この第一基部４の全体を被覆するよう設けられる金属製の第一被覆部５とを有している。
【００２５】
第一基部４は、真鍮製、銅製または銀製であり、縦断面が略矩形状で外周面が外方へ円弧状に膨出して形成されている。第一基部４の周側壁は、軸方向へ沿って切り欠かれて、周方向の一部が開放されている。すなわち、第一基部４は、開口部６を有する略Ｃ字形状に形成されている。第一被覆部５は、第一基部４に金または白金をめっきすることにより形成されている。このようにして、第一リング部材２は、略Ｃ字の開放両端部が離隔または近接できるように、可撓性を有して形成される。
【００２６】
各第二リング部材３は、少なくとも内周面が金属材料で形成されている。この金属材料は、第一リング部材２の少なくとも内周面を形成する金属材料よりもイオン化傾向が大きい金属で形成されている。本実施例の各第二リング部材３は、環状の第二基部７と、この第二基部７の全体を被覆するよう設けられる金属製の第二被覆部８とを有している。
【００２７】
第二基部７は、真鍮製、銅製または銀製であり、縦断面が略矩形状で外周面が外方へ円弧状に膨出して形成されている。第二基部７は、その周側壁が軸方向へ沿って切り欠かれて周方向の一部が開放されて、開口部９を有する略Ｃ字形状に形成されている。第二被覆部８は、前述したように第一被覆部５よりもイオン化傾向が大きい金属製であり、本実施例では、錫を第二基部７にめっきすることにより形成されている。この際、純度１００％の錫によりめっきされる。このようにして、各第二リング部材３は、略Ｃ字の開放両端部が離隔または近接できるように、可撓性を有して形成される。
【００２８】
図３に示されるように、本実施例の指輪１は、たとえば、手の小指１０に嵌められる。この際、第一リング部材２の軸方向両側に第二リング部材３が配置される。すなわち、第一リング部材２よりも指の根元側に一方の第二リング部材３が配置される一方、第一リング部材２よりも指先側に他方の第二リング部材３が配置されて、第二リング部材３，３間に第一リング部材２が配置される。
【００２９】
このようにして配置することで、第一リング部材２の第一被覆部５が正極となる一方、第二リング部材３の第二被覆部８が負極となり、小指１０の表面の汗などが電解質となる。第二被覆部８がイオン化して電子を放出し、その電子が第一被覆部５へ送られる。従って、第一リング部材２からその軸方向一方に配置された一方の第二リング部材３へ電流を流すことができると共に、第一リング部材２からその軸方向他方に配置された他方の第二リング部材３へ電流を流すことができる。
【００３０】
ところで、小指１０には、手の甲から見て外側と内側とに、互いに相反する方向へ流れる経絡が通っている。具体的には、指先から腕を通って胴体へ流れる小腸経と、これとは逆に胴体から腕を通って指先へ流れる心経とが通っている。
【００３１】
前述したように、本実施例の指輪１の場合、第一リング部材２から一方の第二リング部材３へ電流を流すことができると共に、第一リング部材２から他方の第二リング部材３へ電流を流すことができる。従って、小腸経の流れの方向へ電流を流すことができると共に、心経の流れの方向へ電流を流すことができる。これにより、小腸経および心経を同時に刺激することができ、小腸経および心経に対応する身体の箇所の疾病を治療することができる。
【００３２】
また、本実施例の指輪１の場合、第一リング部材２から外方へ互いに相反する方向へ電流を流すことができる構成であるので、どちらか一方向のみへ電流を流す場合と比較して、電流による経絡への刺激を和らげることができる。電流による刺激が強い場合、身体の他の箇所に悪影響を与える場合があるが、本実施例の指輪１ではそれを抑制することができる。また、効きすぎを防止することができる。
【００３３】
また、本実施例の指輪１の場合、略Ｃ字の開放両端部を離隔または近接可能に構成されているので、太さの異なる指に嵌めることができる。たとえば、前述したように小指１０に嵌めることができ、その状態から開放両端部を離隔させて、小指１０よりも太い親指に嵌めることができる。また、指の太さの異なる多数の人に対して、共通の本実施例の指輪１で対応することができる。
【００３４】
また、本実施例の指輪１の場合、前述したように、真鍮製、銅製または銀製の第二基部７に錫によるめっきが施されている。真鍮、銅または銀と錫とは、金属の相性が良く、第二被覆部８が剥がれ落ちる恐れが少ない。従って、本実施例の指輪１によれば、第二基部７と第二被覆部８との密着性が良く、長期間にわたって使用することができる。また、本実施例の指輪１の場合、純度１００％の錫をめっきしているので、経絡を刺激するのに適切な電流をより確実に流すことができる。
【００３５】
また、本実施例の指輪１の場合、各リング部材２，３が環状に形成されているため、装着時に違和感を生じることがない。すなわち、宝飾品としての指輪をしているようにしか見えない。従って、本実施例の指輪１によれば、装着時の見た目が美しく、使用し易い。また、本実施例の指輪１の場合、指に対して着脱可能な構成であるので、繰り返し使用することができ、環境に優しい。
【００３６】
また、本実施例の指輪１の場合、環状の各リング部材２，３を指に嵌める構成であるので、板状の場合と比較して、指に沿うように装着できるので、細い棒状の指に装着し易い。さらに、本実施例の指輪１の場合、第一リング部材２と第二リング部材３とが別体であるので、指に装着した際に、第一リング部材２と第二リング部材３とを互いに間隔を空けて配置することができる。これにより、第一リング部材２と第二リング部材３とが一体的に形成された場合と比較して、電流が良く流れ、疾病の治療効果を向上させることができる。
【００３７】
本発明の指輪は、前記実施例の構成に限らず適宜に変更可能である。たとえば、前記実施例では、同一の指に嵌められた際に、第一リング部材２の軸方向両側に第二リング部材３が配置されたが、第一リング部材２の軸方向両側の内のどちらか一方にのみ第二リング部材３を配置してもよい。この場合、指を通る経絡の流れの上流側に第一リング部材２が配置される一方、指を通る経絡の流れの下流側に第二リング部材３が配置される。
【００３８】
一例として、図３に示されるように、第一リング部材２の軸方向一方にのみ第二リング部材３が配置される。具体的には、第一リング部材２よりも指先側に第二リング部材３が配置される。これにより、前述した場合と同様にして、第一リング部材２から第二リング部材３へ向けて電流を流すことができる。ここでは、中指１１に両リング部材２，３が嵌められている場合について説明する。
【００３９】
中指１１には、胴体から腕を通って指先へ流れている心包経が通っている。従って、第一リング部材２よりも指先側に第二リング部材３を配置することで、心包経の流れの方向へ電流を流すことができる。これにより、心包経を効果的に刺激することができ、心包経に対応する身体の箇所の疾病を治療することができる。
【００４０】
また、上述した例では、中指１１において第一リング部材２の軸方向一方にのみ第二リング部材３が配置されたが、小指１０を含むその他の指においても、第一リング部材２の軸方向両側の内のどちらか一方にのみ第二リング部材３を配置するようにしてもよい。この場合、配置する指を通る経絡の流れの方向へ電流が流れるように、第一リング部材２と第二リング部材３とを配置すればよい。
【００４１】
また、前記実施例では、小指１０において第一リング部材２の軸方向両側に第二リング部材３が配置されたが、中指１１を含むその他の指においても、第一リング部材２の軸方向両側に第二リング部材３を配置するようにしてもよい。この場合、どの指に指輪１を嵌めても、経絡の流れの方向へ電流を流すことができる。具体的には、経絡の流れの方向は、指によってそれぞれ異なるが、第一リング部材２から指先方向および第一リング部材２から指の根元方向へ電流を流すことができる構成であるので、どちらか一方の電流が経絡の流れの方向へ流れることになる。従って、指を通る経絡の流れの方向に関する知識がない場合でも、どの指においても第一リング部材２の軸方向両側に第二リング部材３を配置すれば、経絡の流れの方向へ電流を流すことができる。
【００４２】
また、前記実施例では、環状の第一基部４の全体を金または白金によりめっきしたが、第一基部４の内周面を金または白金によりめっきすれば足りる。同様に、前記実施例では、環状の第二基部７の全体を錫によりめっきしたが、第二基部７の内周面を錫によりめっきすれば足りる。また、第一被覆部５および第二被覆部８の形成は、めっきに限定されるものではない。
【００４３】
また、前記実施例では、真鍮製、銅製または銀製の第一基部４に金または白金がめっきされて第一リング部材２が形成される一方、真鍮製、銅製または銀製の第二基部７に錫がめっきされて第二リング部材３が形成されたが、これに限定されるものではない。たとえば、第一リング部材２および第二リング部材３を錫で形成し、第一リング部材２に金または白金をめっきして指輪１を形成してもよい。この場合、第一リング部材２および第二リング部材３は、閉じた環状に形成するのが好ましい。
【００４４】
また、前記実施例では、イオン化傾向の異なる金属の組み合わせとして、金または白金と錫との組み合わせとしたが、これに限定されるものではなく、たとえば、銅とアルミニウムとの組み合わせであってもよい。また、前記実施例では、両リング部材２，３が略Ｃ字形状とされたが、両リング部材２，３が閉じた環状であってもよい。さらに、前記実施例では、指輪１は、手の指に用いられたが、足の指に用いてもよい。
【産業上の利用可能性】
【００４５】
本発明は、金属間のイオン化傾向の差により生じる電流により経絡を刺激する指輪に好適に適用される。
【符号の説明】
【００４６】
１  指輪
２  第一リング部材
３  第二リング部材
４  第一基部
５  第一被覆部
７  第二基部
８  第二被覆部
【図１】
2017131494.tif 000003
【図２】
2017131494.tif 000004
【図３】
2017131494.tif 000005